(57)【特許請求の範囲】
【請求項１】
天井裏に敷設されるとともに少なくとも一端が室内側に開口しているケーブル配線用ダクトを備え、このダクト内に配線用ケーブルを挿通させることによりケーブル配線を行う天井裏配線部において、
前記ケーブル配線用ダクトの室内側への一端寄りの部分で天井板、天井断熱材を貫通する部分に、補強用断熱材を封入して設けるとともに、該ダクトの室内側への開口端部分に、該ダクト内への湿気の浸入を防ぐシール材を封入して設け、
前記ケーブル配線用ダクトの天井裏内に位置する部分の一部に、ダクト内部を天井裏内空間に連通させることが可能な結露防止手段として複数の小径穴を設けたことを特徴とする天井裏配線部の結露防止構造。
【請求項２】
天井裏に敷設されるとともに少なくとも一端が室内側に開口しているケーブル配線用ダクトを備え、このダクト内に配線用ケーブルを挿通させることによりケーブル配線を行う天井裏配線部において、
前記ケーブル配線用ダクトの室内側への一端寄りの部分で天井板、天井断熱材を貫通する部分に、補強用断熱材を封入して設けるとともに、該ダクトの室内側への開口端部分に、該ダクト内への湿気の浸入を防ぐシール材を封入して設け、
前記ケーブル配線用ダクトの天井裏内に位置する部分の一部に、ダクト内部を天井裏内空間に連通させることが可能な結露防止手段としてスリットを設けたことを特徴とする天井裏配線部の結露防止構造。
【請求項３】
天井裏に敷設されるとともに少なくとも一端が室内側に開口しているケーブル配線用ダクトを備え、このダクト内に配線用ケーブルを挿通させることによりケーブル配線を行う天井裏配線部において、
前記ケーブル配線用ダクトの室内側への一端寄りの部分で天井板、天井断熱材を貫通する部分に、補強用断熱材を封入して設けるとともに、該ダクトの室内側への開口端部分に、該ダクト内への湿気の浸入を防ぐシール材を封入して設け、
前記ケーブル配線用ダクトの天井裏内に位置する部分の一部を、ダクト内部を天井裏内空間に連通させることが可能な結露防止手段としてメッシュパイプで構成したことを特徴とする天井裏配線部の結露防止構造。
【請求項４】
天井裏に敷設されるとともに少なくとも一端が室内側に開口しているケーブル配線用ダクトを備え、このダクト内に配線用ケーブルを挿通させることによりケーブル配線を行う天井裏配線部において、
前記ケーブル配線用ダクトの室内側への一端寄りの部分で天井板、天井断熱材を貫通する部分に、補強用断熱材を封入して設けるとともに、該ダクトの室内側への開口端部分に、該ダクト内への湿気の浸入を防ぐシール材を封入して設け、
前記ケーブル配線用ダクトの天井裏内に位置する部分の一部に、ダクト内部を天井裏内空間に連通させることが可能な結露防止手段として、天井裏内空間と連通する内室を有するボックスを介在させて設けたことを特徴とする天井裏配線部の結露防止構造。
【発明の詳細な説明】
【０００１】
【発明の属する技術分野】
本発明は、たとえばＣＤ（Conduit）管等の合成樹脂可撓管をケーブル配線用ダクトとして用いている天井裏配線部に関し、特にこの天井裏配線部の結露防止構造に関する。
【０００２】
【従来の技術】
一般住宅の天井裏等において電気配線等のケーブル配線を行うにあたって、ＣＤ管と呼ばれる合成樹脂可撓管を用いた天井裏配線部構造が知られている。このような天井裏配線部では、天井裏にケーブル配線用ダクトとしてＣＤ管を適宜敷設した後、室内側に配設されている配線ボックスへの開口部から、電気配線、各種通信用配線となる配線用ケーブルを該ＣＤ管内に送り込んで適宜挿通させることによりケーブル配線が行える。そして、このような天井裏配線部によれば、予めケーブル配線用ダクトを敷設しておくだけで、住宅完成後であっても配線用ケーブルの後配線が比較的簡単に行えるから、その有用性は大きい。
【０００３】
【発明が解決しようとする課題】
ところで、上述した天井裏配線部において、ケーブル配線用ダクトは気密性に優れていることから、ダクト内への湿気などの浸入を防ぐことが必要となっている。すなわち、このダクト内部の温度は、ケーブル等が配線されていることもあって室内側に近似する温度となっている一方、このダクトが敷設されている天井裏内はこれとは温度差のある温度になっていることが多い。
【０００４】
したがって、このようなダクト内部に、湿気などが浸入すると、ダクト内外の温度差によって結露するおそれがある。このような結露があると、ダクトやこのダクト内に配設したケーブルが経年変化し、場合によっては断線を生じるおそれもあるから、頻繁なメンテナンスやケーブルの交換作業が必要となり、コスト面でも問題となっている。
【０００５】
このような問題を防ぐために、ケーブル配線用ダクトの室内側への開口部に、湿気などの浸入を防ぐシール対策を厳密に施すことが行われているが、完全な湿気の浸入防止は不可能であり、たとえ湿気などが浸入しても上述したような結露問題が生じることがないような何らかの対策を講じることが望まれている。
【０００６】
本発明はこのような事情に鑑みてなされたものであり、天井裏に敷設されるケーブル配線用ダクト内にたとえ湿気などが浸入しても、ダクト内外での温度差による結露が生じることがないようにこれを防止することができ、しかも構造が簡単でコスト面でも安価な天井裏配線部の結露防止構造を得ることを目的としている。
【０００７】
【課題を解決するための手段】
このような目的に応えるために本発明（請求項１記載の発明）に係る天井裏配線部の結露防止構造は、天井裏に敷設されるとともに少なくとも一端が室内側に開口しているケーブル配線用ダクトを備え、このダクト内に配線用ケーブルを挿通させることによりケーブル配線を行う天井裏配線部において、ケーブル配線用ダクトの室内側への一端寄りの部分で天井板、天井断熱材を貫通する部分に、補強用断熱材を封入して設けるとともに、該ダクトの室内側への開口端部分に、該ダクト内への湿気の浸入を防ぐシール材を封入して設け、ケーブル配線用ダクトの天井裏内に位置する部分の一部に、ダクト内部を天井裏内空間に連通させることが可能な結露防止手段として複数の小径穴を設けたことを特徴とする。
【０００８】
【０００９】
本発明（請求項２記載の発明）に係る天井裏配線部の結露防止構造は、天井裏に敷設されるとともに少なくとも一端が室内側に開口しているケーブル配線用ダクトを備え、このダクト内に配線用ケーブルを挿通させることによりケーブル配線を行う天井裏配線部において、前記ケーブル配線用ダクトの室内側への一端寄りの部分で天井板、天井断熱材を貫通する部分に、補強用断熱材を封入して設けるとともに、該ダクトの室内側への開口端部分に、該ダクト内への湿気の浸入を防ぐシール材を封入して設け、前記ケーブル配線用ダクトの天井裏内に位置する部分の一部に、ダクト内部を天井裏内空間に連通させることが可能な結露防止手段としてスリットを設けたことを特徴とする。
【００１０】
本発明（請求項３記載の発明）に係る天井裏配線部の結露防止構造は、天井裏に敷設されるとともに少なくとも一端が室内側に開口しているケーブル配線用ダクトを備え、このダクト内に配線用ケーブルを挿通させることによりケーブル配線を行う天井裏配線部において、前記ケーブル配線用ダクトの室内側への一端寄りの部分で天井板、天井断熱材を貫通する部分に、補強用断熱材を封入して設けるとともに、該ダクトの室内側への開口端部分に、該ダクト内への湿気の浸入を防ぐシール材を封入して設け、前記ケーブル配線用ダクトの天井裏内に位置する部分の一部を、ダクト内部を天井裏内空間に連通させることが可能な結露防止手段としてメッシュパイプで構成したことを特徴とする。
【００１１】
本発明（請求項４記載の発明）に係る天井裏配線部の結露防止構造は、天井裏に敷設されるとともに少なくとも一端が室内側に開口しているケーブル配線用ダクトを備え、このダクト内に配線用ケーブルを挿通させることによりケーブル配線を行う天井裏配線部において、前記ケーブル配線用ダクトの室内側への一端寄りの部分で天井板、天井断熱材を貫通する部分に、補強用断熱材を封入して設けるとともに、該ダクトの室内側への開口端部分に、該ダクト内への湿気の浸入を防ぐシール材を封入して設け、前記ケーブル配線用ダクトの天井裏内に位置する部分の一部に、ダクト内部を天井裏内空間に連通させることが可能な結露防止手段として、天井裏内空間と連通する内室を有するボックスを介在させて設けたことを特徴とする。
【００１２】
本発明によれば、天井裏に敷設したケーブル配線用ダクトの室内側への開口部を確実にシールするとともに、たとえ該開口部等からダクト内に湿気などが浸入しても、この湿気はダクトの一部に設けた結露防止手段（小径穴、スリット、メッシュパイプ、あるいはボックス）等から天井裏側に逃げるため、従来のようなダクト内外での温度差による結露を未然に防止することができる。
【００１３】
【発明の実施の形態】
図１および図２は本発明に係る天井裏配線部の結露防止構造の一実施の形態を示す。
これらの図において、符号１０は天井裏配線部を構成するＣＤ管によるケーブル配線用ダクト、１１はこのダクト１０内に挿入することにより挿通した状態で配線される電気配線等の配線用ケーブルである。ここで、ケーブル配線用ダクト１０は、全体の図示は省略したが、一般住宅などの天井裏１内に適宜の状態で敷設されている。
【００１４】
図１において、符号２は天井板、３は該天井板２の天井裏側に配設されている天井断熱材であって、前記ケーブル配線ダクト１０の一端１０ａは、これらの天井断熱材３、天井板２を貫通して室内４側に開口している。
５はこのダクト１０の一端１０ａが接続された室内４側に配設されている配線ボックスである。
【００１５】
前記ダクト１０の一端１０ａ寄りの部分で、天井板２、天井断熱材３を貫通する部分には、グラスウール等の補強断熱材１２が、少なくとも断熱材３の厚さ分だけ封入して設けられるとともに、室内側のボックス５内への開口端部分には、シリコンコーキング等によるシール材１３が封入され、このダクト１０の開口端部分でのある程度のシール状態を確保できるように構成されている。
【００１６】
本発明によれば、上述したケーブル配線用ダクト１０の天井裏１内に位置する部分、この実施の形態では天井断熱材３の天井裏１側に近接する部分に、ダクト１０内部を天井裏１内空間に連通させることが可能な結露防止手段２０として、図２に示すように複数の小径穴２１を設けている。この実施の形態では、ダクト１０において、その長手方向に沿って約１０〜２０ｃｍ程度の長さ範囲にわたって複数の小径穴２１を設けた例を示している。
【００１７】
このような構成によれば、天井裏１に敷設したケーブル配線用ダクト１０の室内側への開口部（１０ａ）を確実にシールするとともに、たとえ該開口部（１０ａ）等からダクト１０内に湿気などが浸入しても、この湿気、水蒸気等はダクト１０の一部に設けた結露防止手段２０としての小径穴２１から天井裏１側に逃げるため、従来のようなダクト内外での温度差による結露を未然に防止することができるのである。
【００１８】
図３（ａ），（ｂ）は本発明の別の実施の形態を示すものであって、この実施の形態では、結露防止手段２０として、ケーブル配線用ダクト１０の一部に、スリット２２を設けている。ここでは、ダクト１０において、その長手方向に沿って約１０〜２０ｃｍ程度の長さのスリット２２を切り欠いて形成した例を示している。
【００１９】
そして、このような構成によっても、上述した複数の小径穴２１を設けた場合と同様に、ダクト１０内の湿気や水蒸気等を天井裏に逃がす役割を果たすことができるものであって、上述した実施の形態と同様に、結露防止を図れる等の作用効果を奏することができるのである。
【００２０】
図４は本発明のさらに別の実施の形態を示すものであって、この図では、前記結露防止手段２０として、ケーブル配線用ダクト１０の一部を、メッシュパイプ２３で構成している。すなわち、ダクト１０を予め切断して準備し、その間にメッシュパイプ２３を介在させるとよいものである。そして、このようなメッシュパイプ２３によっても、上述した小径穴２１、スリット２２と同じく、ダクト１０内の湿気、水蒸気等を天井裏１内に逃がす役割を果たすものであって、同等の作用効果をもつものである。
【００２１】
図５は本発明の他の実施の形態を示すものであって、この図では、ターミナルボックス等のボックス２４を天井裏１内に配設し、ケーブル配線用ダクト１０を、このボックス内室２４ａに連通するように接続することにより、結露防止手段２０として用いているものである。ここで、２５はボックス２４に設けられたファン、２６は換気用のガラリである。
【００２２】
このような構成によっても、ケーブル配線用ダクト１０内に浸入した湿気、水蒸気等は、ボックス内室２４ａ内に導かれ、この内室２４ａから天井裏１側に逃げることができるから、前述した実施の形態での小径穴２１、スリット２２、メッシュパイプ２３等と同等の作用効果が得られることは勿論である。
【００２３】
なお、本発明は上述した実施の形態で説明した構造には限定されず、各部の形状、構造等を適宜変形、変更し得ることはいうまでもない。たとえばケーブル配線用ダクト１０や配線用ケーブル１１、さらにダクト１０に付設した結露防止手段２０や、室内側への開口端に設けた断熱材、シール材等についての具体的な構造としては、周知の通りの種々の変形例が考えられる。
また、ケーブル配線用ダクト１０への結露防止手段２０の付設位置としても、該ダクト１０が天井裏内に位置する部分であれば、適宜の位置に設けることは自由である。
【００２４】
【発明の効果】
以上説明したように本発明に係る天井裏配線部の結露防止構造によれば、天井裏に敷設したケーブル配線用ダクトの室内側への開口部を確実にシールするとともに、たとえ該開口部等からダクト内に湿気などが浸入しても、この湿気はダクトの一部に設けた結露防止手段（小径穴、スリット、メッシュパイプ、あるいはボックス）等から天井裏側に逃げるため、従来のようなダクト内外での温度差による結露を未然に防止することができる。
しかも、本発明による結露防止手段によれば、構造が簡単で、コスト的にも安価であり、実用上での利点は大きい。
【図面の簡単な説明】
【図１】  本発明に係る天井裏配線部の結露防止構造の一実施の形態を示し、天井裏に配線されるケーブル配線用ダクトと室内側の配線ボックスとの関係を説明するための概略図である。
【図２】  本発明を特徴づける結露防止手段の一例を示し、複数の小径穴を設けたケーブル配線用ダクトの斜視図である。
【図３】  本発明を特徴づける結露防止手段の別の例を示し、（ａ）はスリットを設けたケーブル配線用ダクトの斜視図、（ｂ）はその側面図である。
【図４】  本発明を特徴づける結露防止手段のさらに別の例を示し、ケーブル配線用ダクトとその一部に組み込まれるメッシュパイプとの関係を示す分解斜視図である。
【図５】  本発明に係る天井裏配線部の結露防止構造において、結露防止手段の他の例を示す概略図である。
【符号の説明】
１…天井裏、２…天井板、３…天井断熱材、４…室内、５…配線ボックス、１０…ケーブル配線用ダクト、１０ａ…一端（開口端）、１１…配線用ケーブル、１２…補強断熱材、１３…シール材、２０…結露防止手段、２１…小径穴、２２…スリット、２３…メッシュパイプ、２４…ターミナルボックス、２４ａ…内室、２５…ファン、２６…ガラリ。
【図１】
0004069182.tif 000002
【図２】
0004069182.tif 000003
【図３】
0004069182.tif 000004
【図４】
0004069182.tif 000005
【図５】
0004069182.tif 000006